(57)【特許請求の範囲】
【請求項１】
通話端末装置を用いた電話通話の発信操作及び着信応答操作を行う電話制御機能を有し、該通話端末装置と連携して電話通話を可能にする情報管理装置であって、
少なくとも電話番号と相手名称と対応付けて記憶し、所望の電話番号を検索する機能を有する電子電話帳と、
発信通話および着信通話の都度、その発信通話および着信通話に関する情報を取得し、該情報に基づき通話に係る電話番号を含む通話履歴情報を自動的に記録する通話履歴テーブルと、
前記電子電話帳を表示する電話帳表示画面と前記通話履歴テーブルに基づく通話履歴情報を表示する通話履歴表示画面とが表示可能な表示手段と、
所定操作により、前記表示手段に前記通話履歴表示画面を表示させる操作手段と、
該操作手段の操作に応じ、前記表示手段に前記通話履歴表示画面が表示されている状態において、任意の１通話記録を選択指定した後に電話帳登録操作が行われると、前記表示手段に前記電話帳表示画面を表示させる表示制御手段と、
該表示制御手段により前記電話帳表示画面が表示された状態にて、該通話履歴情報として記録された前記電話番号に対応させて、通話の相手名称と関連データとを追加可能にし、かつ、登録操作に応じてこれを前記電子電話帳に登録する登録手段と、
を備えたことを特徴とする通話相手の情報管理装置。
【請求項２】
前記情報管理装置は、更に、呼の着信時に発呼者番号を受信した場合、前記発呼者番号を前記電子電話帳の電話番号と照合し、一致した場合には前記電子電話帳から対応する相手名称を取出し、ポップアップ表示画面に表示する手段を備えていることを特徴とする、請求項１に記載の通話相手の情報管理装置。
【請求項３】
前記情報管理装置は、更に、発呼者が、前記通話履歴テーブルから１通話記録を選択して発信操作を行うことにより、通話端末装置へ自動的に発呼情報および電話番号の送出を行う手段を備えていることを特徴とする、請求項１に記載の通話相手の情報管理装置。
【請求項４】
前記情報管理装置は、更に、ローカルエリアネットワークを介してサーバに接続する手段と、前記電子電話帳のデータを前記サーバにアップロードする手段とを備えており、これによって、他の情報管理装置へ電子電話帳のデータを転送可能にしたことを特徴とする、請求項１に記載の通話相手の情報管理装置。
【発明の詳細な説明】
【０００１】
【発明が属する技術分野】
本発明は、パーソナルコンピュータを利用した通話相手の情報管理装置、いわゆるコンピュータ・テレフォニー・インテグレーション（ＣＴＩ）装置に関する。
【０００２】
【従来の技術】
従来、通話相手の情報管理装置は、電子電話帳に通話相手の名前、電話番号等を登録する際、全てを人手で入力しなければならなかった。
【０００３】
また情報管理装置の記憶装置に電子電話帳を記憶しているので、席替え等により別の情報管理装置へ電子電話帳を移し替える場合には、席替え前に使用していた情報管理装置内にある電子電話帳のデータを一旦フロッピーディスクにダウンロードした後、席替え後の情報管理装置内にある電子電話帳にアップロードする必要があった。
【０００４】
【発明が解決しようとする課題】
しかしながら、上記のような従来の方式では、通話をした相手を後日電子電話帳に登録する様な場合には、電子電話帳を開き、相手の電話番号を調べ、所要項目を入力しなければならないという欠点があった。
【０００５】
また席替え等の場合に電子電話帳のデータの移動に大変手間がかかるという欠点があった。
【０００６】
本発明は、このような従来の課題を解決するためになされたもので、通話履歴を記録することにより、電子電話帳への登録を容易にする。
【０００７】
また電子電話帳のデータをサーバにアップロードすることにより、電子電話帳をどの情報管理装置からでも利用できるようにする。
【０００８】
また発呼者番号通知の場合に、電子電話帳を利用することにより、発呼者の番号だけでなく、発呼者名を含む他のいろいろな情報も表示する。
【０００９】
【課題を解決するための手段】
上記の課題を解決するために請求項１に記載の発明は、通話端末装置を用いた電話通話の発信操作及び着信応答操作を行う電話制御機能を有し、該通話端末装置と連携して電話通話を可能にする情報管理装置であって、少なくとも電話番号と相手名称と対応付けて記憶し、所望の電話番号を検索する機能を有する電子電話帳と、発信通話および着信通話の都度、その発信通話および着信通話に関する情報を取得し、該情報に基づき通話に係る電話番号を含む通話履歴情報を自動的に記録する通話履歴テーブルと、前記電子電話帳を表示する電話帳表示画面と前記通話履歴テーブルに基づく通話履歴情報を表示する通話履歴表示画面とが表示可能な表示手段と、所定操作により、前記表示手段に前記通話履歴表示画面を表示させる操作手段と、該操作手段の操作に応じ、前記表示手段に前記通話履歴表示画面が表示されている状態において、任意の１通話記録を選択指定した後に電話帳登録操作が行われると、前記表示手段に前記電話帳表示画面を表示させる表示制御手段と、該表示制御手段により前記電話帳表示画面が表示された状態にて、該通話履歴情報として記録された前記電話番号に対応させて、通話の相手名称と関連データとを追加可能にし、かつ、登録操作に応じてこれを前記電子電話帳に登録する登録手段とを備えていることを特徴とする。
【００１０】
本発明の請求項２記載の通話相手の情報管理装置は、請求項１に記載の発明において、更に、呼の着信時に発呼者番号を受信した場合、前記発呼者番号を前記電子電話帳の電話番号と照合し、一致した場合には前記電子電話帳から対応する相手名称を取出し、ポップアップ表示画面に表示する手段を備えていることを特徴とする。
【００１１】
本発明の請求項３に記載の通話相手の情報管理装置は、請求項１に記載の発明において、更に、発呼者が、前記通話履歴テーブルから１通話記録を選択して発信操作を行うことにより、通話端末装置へ自動的に発呼情報および電話番号の送出を行う手段を備えていることを特徴とする。
【００１２】
本発明の請求項４に記載の通話相手の情報管理装置は、請求項１に記載の発明において、更に、ローカルエリアネットワークを介してサーバに接続する手段と、前記電子電話帳のデータを前記サーバにアップロードする手段とを備えており、これによって、他の情報管理装置へ電子電話帳のデータを転送可能にしたことを特徴とする。
【００１３】
本発明によれば、自動的に通話履歴を記録するので、発信および着信この通話記録に基づいて容易に電子電話帳にデータを保存できる。
【００１４】
本発明によれば、通話履歴テーブルに通話相手の電話番号が記録されているので、任意の１通話記録を選択し、この記録に基づくデータに、通話相手の名前と関連データとを追加するだけで、電子電話手帳に追加してゆくことができる。
【００１５】
本発明によれば、発呼者番号通知サービスを利用する場合、発呼者の電話番号と共に発呼者の名前も表示できるので、発呼者番号通知サービスにより有効に利用できる。
【００１６】
本発明によれば、通話履歴テーブルに記録された通話相手から、所望の相手を選ぶだけで発信できるので、頻繁に通話する相手への発信が簡単になる。
【００１８】
本発明によれば、席の移動があった様な場合にも、サーバから移動先の情報管理装置へ電子電話帳をダウンロードするだけで、自分の電子電話帳を使用できる。
【００１９】
【発明の実施の形態】
図１は、本発明の実施の形態におけるシステム構成図である。
【００２０】
図１において、１は電子電話帳データを含んだ複数の情報管理装置としてのパーソナルコンピュータ（以下パソコンと略称する）、２はパソコンに対応して設けられる通話用の通話端末装置、３は複数のパソコン１とサーバを接続するローカルエリアネットワーク（以下ＬＡＮと略称する）、４はＬＡＮ３に接続されたサーバ（ファイルサーバ）である。
【００２１】
５は構内電話交換機、５１は構内電話交換機５の構成要素であるライン回路で、一方は通話端末装置２に接続され他方は構内交換機５の時分割スイッチ（本実施の形態では構内電話交換機として時分割交換機を仮定している）５３に接続されている。
【００２２】
５４は構内交換機５を制御する中央制御装置、５５は構内交換機５の制御プログラムおよびデータを記憶する主記憶装置、５２は複数の局線トランクである。
【００２３】
６は公衆電話網で、加入者電話機７相互の接続、および加入電話機７と構内交換機５の接続等を行なう。
【００２４】
本実施の形態では構内電話交換機５を介して通話端末装置２が公衆電話網６に接続される場合を示したが、構内交換機５が無くて通話端末装置２を直接公衆電話網の電話交換機に接続することも可能である。
【００２５】
図２は通話端末装置２の構成を示すブロック図で、２１は構内交換機５のライン回路５１と接続されるラインインタフェース、２２は通話系制御装置、２３はスピーカ、送受話器が接続される通話回路、２４はスピーカ、２５は送受話器である。
【００２６】
２６は通話端末装置２全体を制御する主制御装置、２７は主制御装置２６とパソコン１の間で情報のやり取りをするためのシリアルインタフェースで、本実施の形態ではコンピュータで一般的に使われているＲＳ２３２Ｃインタフェースを用いている。
【００２７】
２８は構内交換機から線路を通して供給される電源を、通話端末装置２の動作電圧に変換する電源装置である。
【００２８】
図３は、パソコン１の画面上に多機能通話端末を仮想的に実現した、コンピュータ・テレフォニー・インテグレーション（ＣＴＩ）装置の画面を表したものである。
【００２９】
図３は、パソコン１が通話のためのアプリケーションソフトウェアを起動した時に、パソコン画面上に表示され、通話端末装置２を、キーボードとマウスの操作で制御するための画面で、左の部分は多機能通話端末装置としての操作面である。
【００３０】
１０１は表示部、１０２はオンフック状態表示ボタン、１０３はオンフックボタン、１０４はダイヤルボタン、１０５はフリーファンクションボタンであり、その他幾つかの機能ボタンで構成されている。
【００３１】
中央やや右寄りの部分は、パソコンを利用することによって実現可能になった部分で、１０６はオートダイヤルボタン、１０９は２４個からなるオートダイヤルボタンのページを切り替えるボタン、１１０は前記オートダイヤルボタンがどの得意先のページであるかを示す表示部である。
【００３２】
そして図３の右端の部分１０７は個人電話帳呼出しボタン、１０８は通話履歴呼出しボタンである。
【００３３】
先ず、コンピュータ・テレフォニー・インテグレーション（ＣＴＩ）装置としてのパソコン画面、図３の、左側の多機能通話端末装置の操作面を模擬した部分を説明する。
【００３４】
発信に当たっては、発呼者は図３の画面上のオンフックボタン１０３をマウスでクリックする。オンフックボタン１０３をクリックした場合にはオンフック状態表示ボタン１０２がオンフック状態になったことを表示する。
【００３５】
オートダイヤルに設定されているフリーファンクションボタン１０５（以下オートダイヤルボタンと呼ぶ）を用いる場合には、オンフックボタン１０３を押す必要はなく、オートダイヤルボタン１０５をマウスでクリックすることで、オンフック状態になってオンフック状態表示ボタン１０２に表示され、ダイヤル番号が自動的に送出される。オートダイヤルで外線に発信した場合の、第2ダイヤル音を待つためのダイヤル間のポーズも、予め設定した値で自動的に挿入される。
【００３６】
オンフック状態になったことは、図２のＲＳ２３２Ｃインタフェース２７を通して通話端末装置２の主制御装置２６に伝えられる。主制御装置２６の制御により通話系制御装置２２はラインインタフェース２１に指示をして、構内交換機５に対し直流ループを作り構内交換機５を起動する。構内交換機５はこの起動信号を受信すると発信音を返してくる。
【００３７】
発呼者は構内交換機５から送られてくる発信音を聞いた後、相手の呼出番号をダイヤルボタン１０４をマウスでクリックするか、キーボードで数字キーを押すことによって入力する。ダイヤルした番号は表示部１０１に逐次表示されるので番号の確認ができる。
【００３８】
オートダイヤルボタン１０５を押した場合には、発信音の確認はせず、タイミングをとって相手の呼出番号の送出を始める。この場合にも相手の呼出番号は表示部１０１に表示される。
【００３９】
ダイヤルされた番号はパソコン１からＲＳ２３２Ｃインタフェース２７を経由して通話端末装置２の主制御装置２６に転送され、通話系制御装置２２において構内交換機５で受けられる信号形式に変換されて、ラインインタフェース２１、ライン回路５１を通して構内交換機５に送られる。
【００４０】
外線発信の場合には、外線識別番号例えば"０"をダイヤルして外線につながって、第2ダイヤル音を聞いた後（あるいはポーズをとった後）相手の番号をダイヤルする。
【００４１】
内線発信の場合には、構内交換機５が接続を完了して相手を呼出し、相手が応答すると、通話端末装置２の送受話器２５を用いて通話ができる。
【００４２】
外線発信の場合にも構内交換機５と公衆電話網６を通して加入電話機７の１つに接続されるだけで、発信側の動作は同じである。
【００４３】
通話時の音量は、音量アップボタンと音量ダウンボタンをマウスでクリックすることによって調節できる。
【００４４】
オンフックボタン１０３をマウスでクリックして発信した場合には、構内交換機５からの発信音はスピーカ２４でモニターされる。従って外線発信の場合には第2ダイヤル音もスピーカ２４を通して聞く。
【００４５】
この時のスピーカの音量も、音量アップボタンと音量ダウンボタンで調節できる。
【００４６】
フリーファンクションボタン１０５は、外線発信、外線着信、オートダイヤル等に使うことができる。
【００４７】
外線発信に設定されたフリーファンクションボタンをマウスでクリックすると、外線識別番号"０"をダイヤルしなくとも直接外線につながる。
【００４８】
外線着信ボタンに設定されたフリーファンクションボタンは、外線から着信があると着信が表示され、そのボタンをマウスでクリックすることにより直ちに外線との通話に入れる。
【００４９】
フリーファンクションボタンと機能の割付はソフトウェアで行なう。
【００５０】
次に、図３に示すパソコン１の画面の中央やや右よりの部分の、本発明に関連のある機能と操作を説明する。これらはパソコンを使って初めてできる機能である。
【００５１】
オートダイヤルボタン１０６は、更に２４個のボタンを追加する。その上、ページ切替ボタン１０９によって２４個のオートダイヤルボタンをページ切り替えできる。
【００５２】
ページを得意先毎に割り当てておくと、得意先名を得意先ページ表示部１１０に表示できるので、使い方が簡単になり、電話をかける相手を探すのも便利になる。
【００５３】
次に、図３右端の個人電子電話帳機能と通話履歴機能を説明する。
【００５４】
図３の個人電話帳ボタン１０７をマウスでクリックするとパソコン１に図８に示す個人電子電話帳画面が現れる。
【００５５】
図８において、２０１は相手先一覧エリア、２０２は検索エリア、２０３は分類エリア、２０４は検索開始ボタン、２０５は電話帳への追加登録ボタン、２０６は選択した相手への発信ボタン、２０７は相手先の詳細データを知りたい場合の相手先名表示部、２０８は相手先名表示部２０７に表示された相手先電話番号の表示部、２０９は相手先名表示部２０７に表示された相手先の詳細データを表示するエリアである。
【００５６】
個人電話帳を使って電話をかける場合には、電話をかけたい相手の名前の頭文字の５０音図の行を分類エリア２０３の中からマウスのクリックで選択する。
【００５７】
選択された分類に属する相手先が相手先一覧エリア２０１に表示される。相手先が相手先一覧エリアに現れない時にはスクロールして相手先を探し、マウスでクリックすると検索エリア２０２に相手先名称が表示される。
【００５８】
この状態で発信ボタン２０６をマウスでクリックすることにより、パソコン１から発呼情報とダイヤル番号が通話端末装置２のＲＳ２３２Ｃインタフェース２７を通して主制御装置２６へ送られる。
【００５９】
通話端末装置２の主制御装置２６の制御によって、通話系制御装置２２に発信の指示が出されて、ラインインタフェース２１にライン回路５１に対して直流ループを作るよう指示が出され、ダイヤル音が返るまでのタイミングをとってダイヤル信号が順次ライン回路５１に送られる。
【００６０】
このようにして相手先を自動的に呼出し通話を行なうことができる。
【００６１】
検索エリア２０２に表示された相手先の詳細データを検索したい場合には、検索開始ボタン２０４をクリックすることにより、相手先名表示部２０７、相手先電話番号表示部２０８、および相手先データ表示エリア２０９に詳細データを表示することができる。
【００６２】
公衆電話網がサービス総合ディジタル網（以下、ＩＳＤＮと表す）の場合には、発サブアドレス欄にＩＳＤＮにおけるサブアドレスを表示できる。また発サブアドレス欄に相手の内線番号を入力しておけば、内線番号も表示できる。
【００６３】
相手先データ欄２０９にデータが入りきらない場合には、別ファイルにしてそのファイル名を添付ファイル名欄に入力しておけば、データ量の制限もなくなる。
【００６４】
キーボードから相手先名表示部２０７へ相手先名、相手先電話番号表示部２０８へ相手先電話番号、相手先データ表示エリアへ詳細データを入力した後、相手先一覧エリア２０１への登録ボタン２０５をマウスでクリックすることにより、新規のデータを登録することが可能である。
【００６５】
図３の右端の部分に設けられている通話履歴ボタン１０８をマウスでクリックすることによって、図９の通話履歴表示画面を表示することができる。
【００６６】
図９は発信、着信を問わず、通話をした相手の履歴を記録する画面で、記録は自動的に行われる。
【００６７】
図９の通話履歴表示画面に電話をかけたい相手がある場合には、画面上の当該相手の行をマウスでクリックすることにより、その行の色が反転して、その行の相手が選択されたことを示す。
【００６８】
この状態で図９右端の発信ボタン３０１をマウスでクリックすれば、オートダイヤルの時と同じ手順で自動的に発信し、相手を呼出す。
【００６９】
通話履歴画面に記録できる通話履歴の数は決められており、新しい通話から優先的に記録する。従って、画面が一杯になれば、古い記録から順番に消されてゆく。
【００７０】
電子電話帳に登録されていない相手への発信、あるいは登録されていない相手からの着信があった場合で、当該通話相手を個人電話帳に残しておきたい場合には次の手順で登録できる。
【００７１】
すなわち通話履歴画面には相手先電話番号のみが表示されているので、当該行をマウスでクリックして選択し（文字の色が反転）、図９右端の登録ボタン３０２をマウスでクリックすることにより、個人電子電話帳画面図８が現れる。個人電話帳画面に通話相手の名前等を入力した後、登録ボタン２０５をマウスでクリックすることによって登録が完了する。
【００７２】
次に、図４によって呼の着信時の通話端末装置およびパソコン１の処理を説明する。
【００７３】
通話端末装置２では常時着信の検出を監視している（ステップＳ１０１）。
【００７４】
例えば加入電話機７の1つから着信があり、発呼者番号通知機能をもった公衆電話網および構内電話交換機を経由して接続された場合には、主制御装置２６は発呼者番号を抽出する（ステップＳ１０２）。発呼者番号が送られてこない場合にはこの動作は省略される。
【００７５】
発呼者番号を抽出すると、リンガー（スピーカ）を鳴動させて着信があったことを通知する（ステップＳ１０３）。
【００７６】
また、主制御装置２６は発呼者番号および着信情報をパソコン１へ送出する。
【００７７】
そして、通話端末装置２でオフフックしたかどうかを監視して(ステップＳ１０５)、オフフックを検出するとパソコン１に通知する（ステップＳ１０６）。
【００７８】
これによって通話状態に入る（ステップＳ１０７）。
【００７９】
一方、パソコン１においては、通話端末装置２からの着信情報を常時監視しており（ステップＳ２０１）、通話端末装置２から送られてくる発呼者番号（発呼者番号通知機能のある場合のみ）を抽出する（ステップＳ２０２）。
【００８０】
そして図９に示す通話履歴一覧表に通話履歴データを保存する（ステップＳ２０３）。
【００８１】
また、発呼者番号が電子電話帳に登録されているかどうかを調べ（ステップＳ２０４）、登録されていれば登録データ（発呼者名等）を抽出し（ステップＳ２０５）、図７に示すポップアップ表示画面に発呼者名（相手先名）と電話番号、詳細データ（もしあれば）を表示して着信を通知する（ステップＳ２０６）。
【００８２】
発呼者番号が電子電話帳に登録されていない場合には、発呼者の電話番号のみが表示され、着信を通知する。
【００８３】
そして通話端末装置２からの応答信号を監視し（ステップＳ２０７）、応答信号を受信すれば図３のボタン１０２を通話中表示に変える（ステップＳ２０８）。
【００８４】
次に、パソコン１および通話端末装置２の発信処理を、図５のフローチャートによって説明する。
【００８５】
発信に当たって発呼者は、オートダイヤルで発信するか（ステップＳ３０１）、通話履歴を使って発信するか（ステップＳ３０２）、個人電話帳を使って発信するか（ステップＳ３０３）を決める。
【００８６】
オートダイヤルで発信する場合には、既に説明したようにオートダイヤルボタン１０５または１０６をマウスでクリックして指定し（ステップＳ３０４）、発信ボタンをクリックして、電子電話帳から対応するダイヤル番号を抽出し（ステップＳ３１２）、通話履歴テーブルに記録を保存して（ステップＳ３１３）、ダイヤル情報を含む発信情報を通話端末装置２へ送出する（ステップＳ３１４）。
【００８７】
以後は通話端末装置からの応答情報の受信を監視し（ステップＳ３１５）、応答情報を受信すれば図３のボタン１０２のマークを通話中の表示に変える。
【００８８】
通話履歴を使って発信する場合（ステップＳ３０２）には、図３の通話履歴ボタン１０８をマウスでクリックして、図９に示す通話履歴テーブルを呼出す（ステップＳ３０５）。
【００８９】
そして通話履歴テーブルから被呼者を探し出し、その行をマウスでクリックして文字の色を反転させ（ステップＳ３０６）、発信ボタン３０１をマウスでクリックすれば自動的に発信をし（Ｓ３０７）、最新の通話履歴として通話履歴テーブルに記録を保存する（ステップＳ３１３）。
【００９０】
以後の動作はオートダイヤルの場合と同じである。
【００９１】
個人電話帳を使う場合には（ステップＳ３０３）、図３右端の個人電話帳ボタン１０７をマウスでクリックすることによって、図８の電子電話帳画面を呼出す（ステップＳ３０８）。
【００９２】
既に説明したように、電子電話帳画面で被呼者を指定し（ステップＳ３０９）、図８右端の発信ボタン２０６をマウスでクリックする。
【００９３】
発信ボタン２０６をマウスでクリックすれば自動的に発信し（Ｓ３１２）、通話履歴テーブルに発信の記録を保存する（ステップＳ３１３）。以後の動作はオートダイヤルの場合と同じである。
【００９４】
オートダイヤル、通話履歴、個人電話帳のいずれも使えない場合（ステップＳ３０３）には、図３のダイヤル１０４またはキーボードを使ってダイヤル番号を入力し（ステップＳ３１０）、パソコン１はダイヤル番号を受信する（ステップＳ３１１）。
【００９５】
この場合も通話履歴テーブルに最新通話記録として保存する（ステップＳ３１３）。以後の動作はオートダイヤルの場合と同じである。
【００９６】
次に、通話端末装置２の発信処理を説明する。
【００９７】
通話端末装置２は常時パソコン１からの発信情報を監視しており（ステップＳ４０１）、発信情報を受け取ると、構内交換機５にダイヤル情報を含む発信情報を送出する(ステップＳ４０２)。
【００９８】
以後は被呼者の応答を監視し(ステップＳ４０３)、応答があればパソコン１に応答を通知し(ステップＳ４０４)、通話状態に入る（ステップＳ４０５）。
【００９９】
図６のフローチャートによってパソコン１における、通話履歴から電子電話帳への登録の流れを説明する。
【０１００】
図３の通話履歴ボタン１０８をマウスでクリックすることによって（ステップＳ５０１）、図９の通話履歴テーブルを表示させる（ステップＳ５０２）。
【０１０１】
通話履歴テーブルから電子電話帳に登録したい相手を見つけ、その行をマウスでクリックして文字の色を反転させ、選択する(ステップＳ５０３)。
【０１０２】
この状態で登録ボタン３０２をマウスでクリックすると(ステップＳ５０４)、サーバは利用者の情報によって当該利用者の個人電話帳を選択し、画面がその利用者の電子電話帳画面(図８)に切り替わる(ステップＳ５０５)。
【０１０３】
相手先名（無い場合）、相手先の勤務先等の関連データをキーボードから入力し(ステップＳ５０６)、登録ボタン２０５をマウスでクリックすると（ステップＳ５０７）、画面上のデータは電子電話帳に登録される(ステップＳ５０８)。
【０１０４】
以上説明したように、発信、着信にかかわらず、通話履歴が自動的に作成され、通話履歴の中から選んで個人の電子電話帳に登録替えできるので、個人電話帳の作成も容易である。
【０１０５】
共有サーバ４は、パソコンの所定操作によって、該パソコンから送られてきた電子電話帳のデータ（ファイル）を保存する。各扱者はそのデータ（ファイル）の中から図８上の読込ボタン２１０をマウスでクリックすることにより、一括して図８の相手先一覧に展開したいファイルを指定して、パソコンの個人電話帳に登録する。
【０１０６】
この様な構成にしたことによって、座席の変更があったような場合でも、個人毎に作られた個人電話帳データをサーバ４を介して移動先の別のパソコン１に移動することが容易になる。
【０１０７】
従って、フロッピーディスクに一旦ダウンロードしてハードウェアの形で移動して、再び目的のパソコンにアップロードするような手間をかける必要がなくなる。
【０１０８】
【発明の効果】
本発明によれば、パソコンで発着両方の通話履歴を記録することによって、通話相手の電子電話帳への登録を容易にし、通話相手の情報管理装置としての使い易さを増す効果を有する。
【０１０９】
また各利用者が所有するパソコンをＬＡＮで接続し、サーバに各個人の電子電話帳を格納することによって、利用者の席替え等によるパソコンの電子電話帳データの変更を容易にできる効果を有する。
【０１１０】
発呼者番号通知を行なう着信呼の受信に際しても、電子電話帳が充実していれば、発呼者の電話番号を電子電話帳の番号と照合することによってより多くの発呼者名の表示を可能にする効果を有する。
【０１１１】
また本発明の電子電話帳は、通話相手の各種データも記憶できるので、通話相手の情報管理装置としての有用性が更に向上する効果を有する。
【図面の簡単な説明】
【図１】本発明の実施の形態におけるシステム構成図である。
【図２】通話端末装置のブロック構成図である。
【図３】コンピュータ・テレフォニー・インテグレーション（ＣＴＩ）装置としての多機能通話端末装置のパソコン画面である。
【図４】通話端末装置とパソコンにおける着信処理のフローチャートである。
【図５】パソコンと通話端末装置における発信処理のフローチャートである。
【図６】通話履歴テーブルの内容を電子電話帳に登録する手順のフローチャートである。
【図７】パソコンのディスプレイ上に表示される、発呼者番号通知の画面である。
【図８】パソコンのディスプレイ上に表示される、電子電話帳（個人電話帳）の画面である。
【図９】パソコンのディスプレイ上に表示される、通話履歴画面である。
【符号の説明】
１    パーソナルコンピュータ
２    通話端末装置
３    ローカルエリアネットワーク（ＬＡＮ）
４    サーバ
５    構内交換機
６    公衆電話網
７    加入電話機
【図１】
0003729655.tif 000002
【図２】
0003729655.tif 000003
【図３】
0003729655.tif 000004
【図４】
0003729655.tif 000005
【図５】
0003729655.tif 000006
【図６】
0003729655.tif 000007
【図７】
0003729655.tif 000008
【図８】
0003729655.tif 000009
【図９】
0003729655.tif 000010